(57)【要約】【課題】ユーザが気に入った複数のチャンネルの番組を容易に確認し、選択できる表示処理装置等を実現する。【解決手段】本発明の表示処理装置１は、ユーザによって選択候補とされた番組の、番組に関連する情報である番組情報を取得する番組情報取得部１０３と、番組情報取得部１０３が取得した番組情報を記憶する番組情報記憶部１１と、番組情報記憶部１１に記憶された番組情報から、ユーザによって選択候補とされた番組の中からユーザが番組を選択する画面である番組選択画面を作成する選択画面作成部１０６と、選択画面作成部１０６が作成した番組選択画面を表示部１２に表示させる表示制御部１０４とを備えている。これにより、ユーザが気に入った複数のチャンネルの番組内容を容易に確認し、選択できる表示処理装置等を実現することができる。【選択図】図１
2008288731.tif 000002
【特許請求の範囲】
【請求項１】
ユーザによって選択候補とされた番組の、番組に関連する情報である番組情報を取得する番組情報取得手段と、
上記番組情報取得手段が取得した番組情報を記憶する番組情報記憶部と、
上記番組情報記憶部に記憶された番組情報から、ユーザによって選択候補とされた番組の中からユーザが番組を選択する画面である番組選択画面を作成する選択画面作成手段と、
上記選択画面作成手段が作成した番組選択画面を表示部に表示させる表示制御手段とを備えることを特徴とする表示処理装置。
【請求項２】
上記番組情報は、番組のチャンネル情報を含むことを特徴とする請求項１に記載の表示処理装置。
【請求項３】
上記番組情報は、番組内容を示す静止画像を含むことを特徴とする請求項１に記載の表示処理装置。
【請求項４】
上記番組情報は、番組内容を示す動画像を含むことを特徴とする請求項１に記載の表示処理装置。
【請求項５】
上記番組情報は、番組の配信形態情報を含むことを特徴とする請求項１に記載の表示処理装置。
【請求項６】
上記番組情報は、上記番組情報取得手段が番組情報を取得した時刻を含むことを特徴とする請求項１に記載の表示処理装置。
【請求項７】
上記番組選択画面は、上記番組情報記憶部に記憶された、番組のチャンネル情報、番組内容を示す静止画像、番組内容を示す動画像、および番組の配信形態情報のうち少なくとも１つを並べて表示した画面であることを特徴とする請求項１に記載の表示処理装置。
【請求項８】
上記番組情報は、番組のチャンネル情報と番組の配信形態情報とを含み、
上記選択画面作成手段は、上記チャンネル情報と番組の配信形態情報とから放送中の番組を用いて番組選択画面を作成することを特徴とする請求項１に記載の表示処理装置。
【請求項９】
他の装置から番組情報の取得命令情報を受信する指示命令情報受信手段を備え、
上記指示命令情報受信手段が番組情報の取得命令情報を受信したとき、上記番組情報取得手段は、該取得命令情報に示された番組情報を取得し、
上記番組情報記憶部は、上記番組情報取得手段が取得した番組情報を記憶することを特徴とする請求項１に記載の表示処理装置。
【請求項１０】
上記指示命令情報受信手段は、番組選択画面の表示命令情報を受信し、
上記指示命令情報受信手段が、上記表示命令情報を受信したとき、上記選択画面作成手段は、上記番組情報記憶部に記憶されている番組情報に基づいて、番組選択画面を作成し、
上記表示制御手段は、上記選択画面作成手段によって作成された番組選択画面を表示部に表示させることを特徴とする請求項９に記載の表示処理装置。
【請求項１１】
上記指示命令情報受信手段は、番組選択画面からどの番組が選択されたかという選択決定表示命令情報を受信し、
上記指示命令情報受信手段が、上記選択決定表示命令情報を受信したとき、上記表示制御手段は、上記選択決定表示命令情報に示された番組を表示部に表示させることを特徴とする請求項１０に記載の表示処理装置。
【請求項１２】
上記指示命令情報受信手段が上記選択決定表示命令情報を受信してから、所定の時間が経過すると、上記番組情報記憶部から番組情報を消去する番組情報消去手段を備えることを特徴とする請求項１１に記載の表示処理装置。
【請求項１３】
ユーザによる連続した選局動作の終了を判定する選局終了判定手段を備え、
上記選択画面作成手段は、上記選局終了判定手段がユーザの連続した選局動作が終了したと判定すると、番組選択画面を作成し、
上記表示制御手段は、上記番組選択画面を表示部に表示させることを特徴とする請求項１に記載の表示処理装置。
【請求項１４】
請求項１から１３のいずれか１項に記載した表示処理装置に対し、
番組情報を取得し、上記番組情報記憶部に記憶させる取得記憶指示手段と、
番組選択画面を作成および表示させる選択画面作成表示指示手段と、
上記選択画面作成表示指示手段により作成および表示させた番組選択画面から選択した画面を表示させる選択番組表示指示手段とを備えることを特徴とするリモコン装置。
【請求項１５】
ユーザによって選択候補とされた番組の、番組に関連する情報である番組情報を記憶する番組情報記憶部を備える表示処理装置の制御方法であって、
番組情報を取得する番組情報取得ステップと、
上記番組情報記憶部に記憶された番組情報から、ユーザによって選択候補とされた番組の中からユーザが番組を選択する画面である番組選択画面を作成する選択画面作成ステップと、
上記選択画面作成ステップで作成した番組選択画面を表示部に表示させる選択画面表示ステップとを含むことを特徴とする表示処理装置の制御方法。
【請求項１６】
番組に関連する情報である番組情報を記憶する番組情報記憶部を備える表示処理装置と該表示処理装置に対し指示命令情報を送信するリモコン装置とを備える表示システムを制御する方法であって、
上記表示処理装置に対し番組情報を取得し番組情報記憶部に記憶させる指示命令情報を送信する取得記憶指示ステップと、
上記取得記憶指示ステップで送信された指示命令情報に示された番組の番組情報を取得する番組情報取得ステップと、
番組選択画面の作成および表示を指示する指示命令情報を送信する選択画面作成表示指示ステップと、
上記選択画面作成表示指示ステップで送信された指示命令情報により、上記番組情報記憶部に記憶された番組情報から番組選択画面を作成する選択画面作成ステップと、
番組選択画面を表示部に表示させる選択画面表示ステップとを含むことを特徴とする表示システムの制御方法。
【請求項１７】
番組に関連する情報である番組情報を記憶する番組情報記憶部を備える表示処理装置と該表示処理装置に対し指示命令情報を送信するリモコン装置とを備える表示システムを制御する方法であって、
上記表示処理装置に対し番組情報を取得し番組情報記憶部に記憶させる指示命令情報を送信する取得記憶指示ステップと、
上記取得記憶指示ステップで送信された指示命令情報に示された番組の番組情報を取得する番組情報取得ステップと、
ユーザによる連続した選局動作の終了を判定する選局終了判定ステップと、
上記選局終了判定ステップで、ユーザの連続した選局動作が終了したと判定すると、上記番組情報記憶部に記憶された番組情報から番組選択画面を作成する選択画面作成ステップと、
番組選択画面を表示部に表示させる選択画面表示ステップとを含むことを特徴とする表示システムの制御方法。
【請求項１８】
請求項１６または請求項１７に記載の表示システムの制御方法を実行するための表示システム制御プログラムであって、コンピュータに上記の各ステップを実行させるための表示システム制御プログラム。
【請求項１９】
上記請求項１から１３のいずれか１項に記載の表示処理装置と、該表示処理装置に指示命令情報を送信するリモコン装置とによって構成される表示システム。
【請求項２０】
上記請求項１４に記載のリモコン装置と、該リモコン装置が指示命令情報を送信する表示処理装置とによって構成される表示システム。
【発明の詳細な説明】
【技術分野】
【０００１】
本発明は、表示処理装置、特に、複数の番組情報を取得し、取得した番組情報により番組選択画面を表示させる表示処理装置、該表示処理装置を備えた表示装置、該表示処理装置と対応したリモコン装置、表示処理装置の制御方法、表示処理装置の制御プログラムおよび表示システムに関するものである。
【背景技術】
【０００２】
近年、地上波デジタル放送、衛星デジタル放送、ケーブルテレビ放送、ＩＰ放送、ビデオオンデマンドなどの番組放送のサービス形態が拡大してきている。そして、サービス形態の拡大とともに、提供される放送番組のチャンネル数も増加している。また、今後も上記のようなサービス形態の発展、普及により、チャンネル数が増大することが予想される。
【０００３】
このように、ユーザが視聴できる放送番組のチャンネルが多数存在する“多チャンネル放送の時代”では、ユーザが、気に入った番組を探すために一通りすべてチャンネルを一覧するためには、相当の時間を要してしまう。さらに、一通り一覧したとしても、チャンネル数があまりにも多く、一覧し終わる頃には、自分が気に入った番組はどれであったのか覚えているとは限らない。そうすると、放送される番組の中から、ユーザが気に入った番組を後から再度見つけ出すことは困難となる。一方、一覧している途中で、気に入った番組を見つけ、そこで一覧を終了してしまうと、それ以降に一覧する予定であったチャンネルの番組内容は確認することができない。
【０００４】
そこで、このような問題に対応するものとして以下の特許文献がある。
【０００５】
特許文献１では、スキャンされているテレビ番組の中から、ユーザがお好みボタンを押下する都度、該チャンネルが記憶され、その後さらに、お好みスキャンキーを押下すると、記憶されたチャンネルが再度スキャンされる技術が記載されている。
【０００６】
また、特許文献２には、番組を視聴中に、ユーザは興味のある番組を発見すると、リモコンにいくつか存在する「お気に入りチャンネルキー」を押下し、その番組のチャンネル番号を登録する。そして、後から興味のある番組を再度視聴したいときには、「お気に入りチャンネルキー」を押下することで、該番組へ切り替えることができるという技術が記載されている。
【０００７】
また、特許文献３には、番組の視聴中に、テレビ装置においてユーザの視聴時間を番組ごとに測定し、視聴時間がある一定値を超えた番組のチャンネル番号を記憶する。そして、リモコンに存在する“戻るボタン”を押下することで、該チャンネルへすぐに戻ることができるという技術が記載されている。また、視聴時間がある一定値を超えた番組が複数存在する場合は、“戻るボタン”を複数回押下することで、それらの番組へ戻ることができる技術が記載されている。
【特許文献１】特開平１０−２８５４８０号公報（公開日：１９９８年１０月２３日）
【特許文献２】特表２００２−５４３６８５号公報（公表日：２００２年１２月１７日）
【特許文献３】特開２００５−１２４１０４号公報（公開日：２００５年５月１２日）
【発明の開示】
【発明が解決しようとする課題】
【０００８】
しかしながら、上記の特許文献で公開されている技術では、以下のような問題を生じる。
【０００９】
すなわち、特許文献１に記載の技術では、お好みボタンで選択した番組を再びスキャンするので、お好みボタンで選択されたチャンネル数が多いと、上記問題を解決できない。例えば、ユーザが視聴できるチャンネル数が１００チャンネル有り、そのうちの５０チャンネルをお好みボタンで選択した場合、該５０チャンネルが、お好みスキャンキーを押下することによりスキャンされることになる。これでは、ユーザが気に入った番組を後から再度見つけ出すことは困難であることに変わりはない。また、登録したチャンネルを順番に見ていかなければ、番組の内容を確認できない。
【００１０】
また、特許文献２に記載の技術では、有限のお気に入りチャンネルキーにユーザが気に入ったチャンネルを登録する。よって、登録できるチャンネル数には限りがあり、気に入ったチャンネルが多数存在すれば、対応することができない。また、それぞれのお気に入りチャンネルキーに登録されている番組は、実際に視聴しないと内容を確認できない。
【００１１】
また、特許文献３に記載の技術では、ユーザが気に入った番組が記憶されているとは限らない。なぜなら、視聴時間の長さとユーザの興味のある番組とはイコールではないからである。また、記憶されている番組を確認するためには、“戻る”ボタンを押下することによらなくてはならず、複数のチャンネルが記憶されていた場合、“戻る”ボタンを繰り返し押下して内容を確認していかなくてはならない。
【００１２】
本発明は、上記の問題点に鑑みてなされたものであり、その目的は、ユーザが気に入った複数のチャンネルの番組を容易に確認し、選択できる表示処理装置等を実現することにある。
【課題を解決するための手段】
【００１３】
上記課題を解決するために、本発明に係る表示処理装置は、ユーザによって選択候補とされた番組の、番組に関連する情報である番組情報を取得する番組情報取得手段と、上記番組情報取得手段が取得した番組情報を記憶する番組情報記憶部と、上記番組情報記憶部に記憶された番組情報から、ユーザによって選択候補とされた番組の中からユーザが番組を選択する画面である番組選択画面を作成する選択画面作成手段と、上記選択画面作成手段が作成した番組選択画面を表示部に表示させる表示制御手段とを備えることを特徴としている。
【００１４】
また、上記課題を解決するために、本発明に係る表示処理装置の制御方法は、ユーザによって選択候補とされた番組の、番組に関連する情報である番組情報を記憶する番組情報記憶部を備える表示処理装置の制御方法であって、番組情報を取得する番組情報取得ステップと、上記番組情報記憶部に記憶された番組情報から、ユーザによって選択候補とされた番組の中からユーザが番組を選択する画面である番組選択画面を作成する選択画面作成ステップと、上記選択画面作成ステップで作成した番組選択画面を表示部に表示させる選択画面表示ステップとを含むことを特徴としている。
【００１５】
上記の構成および方法によれば、ユーザによって選択候補とされた番組の、番組に関連する情報である番組情報が取得され、番組情報記憶部に記憶される。そして、番組情報記憶部に記憶されている番組情報から番組選択画面が作成され、表示部で表示される。
【００１６】
これにより、ユーザは、自分が選択候補とした番組の番組情報から作成された番組選択画面を確認でき、番組選択画面から番組を選択することができる。よって、ユーザは番組選択画面から容易に番組を確認でき、選択することができる。
【００１７】
ここで、表示部は自装置に備えられていてもよいし、表示部が外部装置で自装置と接続できるものであってもよい。
【００１８】
本発明に係る表示処理装置では、上記番組情報は、番組のチャンネル情報を含むものであってもよい。
【００１９】
上記番組情報に、番組のチャンネル情報を含むことにより、番組選択画面にチャンネル情報を表示することができる。ここで、チャンネル情報とは、チャンネル番号などのチャンネルに関する情報である。これにより、ユーザは番組選択画面においてチャンネル番号などを確認することができる。
【００２０】
本発明に係る表示処理装置では、上記番組情報は、番組内容を示す静止画像を含むものであってもよい。
【００２１】
上記番組情報に、番組内容を示す静止画像を含むことにより、番組選択画面に番組の静止画像を表示することができる。これにより、ユーザは番組選択画面において番組の静止画像を確認することができ、容易に番組内容を把握することができる。
【００２２】
本発明に係る表示処理装置では、上記番組情報は、番組内容を示す動画像を含むものであってもよい。
【００２３】
上記番組情報に、番組内容を示す動画像を含むことにより、番組選択画面に番組の動画像を表示することができる。これにより、ユーザは番組選択画面において番組の動画像を確認することができ、静止画よりもより容易に番組の内容を把握することができる。
【００２４】
ここで、番組内容を示す動画像は、ユーザが番組の内容を簡単に把握できる程度の時間の長さ動画像とすることが好ましい。
【００２５】
本発明に係る表示処理装置では、上記番組情報は、番組の配信形態情報を含むものであってもよい。
【００２６】
ここで、番組の配信形態情報とは、衛星デジタル放送、地上波デジタル放送、ＩＰ放送、ビデオオンデマンドなどの番組配信の形態を示す情報をいう。
【００２７】
上記番組情報に、番組のサービス形態情報を含むことにより、番組選択画面に番組の配信形態情報を反映することができる。これにより、ユーザは番組情報と対応する番組の配信形態を認識することができる。
【００２８】
本発明に係る表示処理装置では、上記番組情報は、上記番組情報取得手段が番組情報を取得した時刻を含むものであってもよい。
【００２９】
上記番組情報に、番組取得手段が番組情報を取得した時刻を含むことにより、番組選択画面に番組情報を取得した時刻を反映させることができる。これにより、ユーザは番組情報を取得した時刻を認識することができる。
【００３０】
本発明に係る表示処理装置では、上記番組選択画面は、上記番組情報記憶部に記憶された、番組のチャンネル情報、番組内容を示す静止画像、番組内容を示す動画像、および番組の配信形態情報のうち少なくとも１つを並べて表示した画面であってもよい。
【００３１】
上記の構成によれば、番組選択画面には、番組のチャンネル情報、番組内容を示す静止画像、番組内容を示す動画像、および番組の配信形態情報のうち少なくとも１つが並べて表示される。これにより、ユーザは、番組選択画面に表示された番組情報を視覚的、直感的に把握することができ、容易に内容を確認できる。
【００３２】
本発明に係る表示処理装置では、上記番組情報は、番組のチャンネル情報と番組の配信形態情報とを含み、上記選択画面作成手段は、上記チャンネル情報と番組の配信形態情報とから放送中の番組を用いて番組選択画面を作成するものであってもよい。
【００３３】
上記の構成によれば、番組選択画面に放送中の番組が表示される。すなわち、番組情報記憶部に記憶されている番組情報ではなく、表示している時点で放送されている番組が表示される。これにより、ユーザは、番組選択画面で放送中の番組から番組内容を判断することができる。
【００３４】
本発明に係る表示処理装置では、他の装置から番組情報の取得命令情報を受信する指示命令情報受信手段を備え、上記指示命令情報受信手段が番組情報の取得命令情報を受信したとき、上記番組情報取得手段は、該取得命令情報に示された番組情報を取得し、上記番組情報記憶部は、上記番組情報取得手段が取得した番組情報を記憶するものであることが好ましい。
【００３５】
上記の構成によれば、他の装置から送信された番組情報の取得命令情報に基づいて、番組情報が取得され、番組情報記憶部に記憶される。これにより、ユーザは離れた所から他の装置により、表示処理装置に番組情報を取得させ、番組記憶部に記憶させることができる。
【００３６】
本発明に係る表示処理装置では、上記指示命令情報受信手段は、番組選択画面の表示命令情報を受信し、上記表示命令情報を受信したとき、上記選択画面作成手段は、上記番組情報記憶部に記憶されている番組情報に基づいて、番組選択画面を作成し、上記表示制御手段は、上記選択画面作成手段によって作成された番組選択画面を表示部に表示させるものであることが好ましい。
【００３７】
上記の構成によれば、他の装置から送信された番組選択画面の表示命令情報に基づいて、番組選択画面が作成され、表示される。これにより、ユーザは離れた所から他の装置により、表示処理装置に番組選択画面作成させ、表示させることができる。
【００３８】
本発明に係る表示処理装置では、上記指示命令情報受信手段は、番組選択画面からどの番組が選択されたかという選択決定表示命令情報を受信し、上記指示命令情報受信手段が、上記選択決定表示命令情報を受信したとき、上記表示制御手段は、上記選択決定表示命令情報に示された番組を表示部に表示させるものであることが好ましい。
【００３９】
上記の構成によれば、他の装置から送信された選択決定表示命令情報により、番組選択画面から番組が選択され、選択された番組が表示される。これにより、ユーザは離れた所から他の装置により、表示装置に番組選択画面から選択した番組を表示させることができる。
【００４０】
本発明に係る表示処理装置では、上記指示命令情報受信手段が上記選択決定表示命令情報を受信してから、所定の時間が経過すると、上記番組情報記憶部から番組情報を消去する番組情報消去手段を備えるものであってもよい。
【００４１】
上記の構成によれば、選択決定表示命令情報を受信後、所定の時間が経過すると、番組情報記憶部から番組情報が消去される。これにより、番組を選択した後は不要な情報となる番組情報が消去される。
【００４２】
ここで、所定の時間は、ユーザが番組の選択を決定した後、再び記憶されている番組情報を確認することはないと考えられる程度の時間とすることが好ましい。
【００４３】
本発明に係る表示処理装置では、ユーザによる連続した選局動作の終了を判定する選局終了判定手段を備え、上記選択画面作成手段は、上記選局終了判定手段がユーザの連続した選局動作が終了したと判定すると、番組選択画面を作成し、上記表示制御手段は、上記番組選択画面を表示部に表示させるものであってもよい。
【００４４】
上記の構成によれば、連続した選局動作の終了後に、番組選択画面が作成され、表示される。これにより、番組選択画面の作成および表示指示を行わなくても、表示部に番組選択画面を作成および表示させることができる。
【００４５】
上記課題を解決するために、本発明に係るリモコン装置は、上記表示処理装置に対し、番組情報を取得し記憶させる取得記憶指示手段と、番組選択画面を作成および表示させる選択画面作成表示指示手段と、上記選択画面作成表示指示手段により作成および表示させた番組選択画面から選択した画面を表示させる選択番組表示指示手段とを備えることを特徴としている。
【００４６】
上記の構成によれば、リモコン装置は、表示処理装置に対し、取得記憶指示手段により番組情報を取得して記憶するように指示し、選択画面作成表示指示手段により番組選択画面を作成し、表示するように指示する。そして、表示処理装置は、リモコン装置の指示により、番組情報を取得し、取得した番組情報を番組情報記憶部に記憶し、番組情報記憶部に記憶されている番組情報から番組選択画面を作成し、表示部に表示させる。すなわち、リモコン装置は、表示処理装置に対し、番組情報の取得、記憶および番組選択画面の作成、表示の指示を送信することができる。そして、番組選択画面から選択された番組を表示させる指示を送信することができる。
【００４７】
上記課題を解決するために、本発明に係る表示システムの制御方法は、番組に関連する情報である番組情報を記憶する番組情報記憶部を備える表示処理装置と該表示処理装置に対し指示命令情報を送信するリモコン装置とを備える表示システムを制御する方法であって、上記表示処理装置に対し番組情報を取得し番組情報記憶部に記憶させる指示命令情報を送信する取得記憶指示ステップと、上記取得記憶指示ステップで送信された指示命令情報に示された番組の番組情報を取得する番組情報取得ステップと、番組選択画面の作成および表示を指示する指示命令情報を送信する選択画面作成表示指示ステップと、上記選択画面作成表示指示ステップで送信された指示命令情報により、上記番組情報記憶部に記憶された番組情報から番組選択画面を作成する選択画面作成ステップと、番組選択画面を表示部に表示させる選択画面表示ステップとを含むことを特徴としている。
【００４８】
上記の方法によれば、リモコン装置から送信された指示命令情報により、表示処理装置が番組情報を取得し、番組情報記憶部に記憶する。そして、表示処理装置は、番組選択画面を作成し、表示部に表示させる。
【００４９】
上記課題を解決するために、本発明にかかる表示システムの制御方法は、番組に関連する情報である番組情報を記憶する番組情報記憶部を備える表示処理装置と該表示処理装置に対し指示命令情報を送信するリモコン装置とを備える表示システムを制御する方法であって、上記表示処理装置に対し番組情報を取得し番組情報記憶部に記憶させる指示命令情報を送信する取得記憶指示ステップと、上記取得記憶指示ステップで送信された指示命令情報に示された番組の番組情報を取得する番組情報取得ステップと、ユーザによる連続した選局動作の終了を判定する選局終了判定ステップと、上記選局終了判定ステップで、ユーザの連続した選局動作が終了したと判定すると、上記番組情報記憶部に記憶された番組情報から番組選択画面を作成する選択画面作成ステップと、番組選択画面を表示部に表示させる選択画面表示ステップとを含むことを特徴としている。
【００５０】
上記の方法によれば、リモコン装置から送信された指示命令情報により、表示処理装置が番組情報を取得し、番組情報記憶部に記憶する。そして、ユーザによる連続した選局動作が終了すると、表示処理装置は、番組選択画面を作成し、表示部に表示させる。
【００５１】
上記表示処理装置と、該表示処理装置に指示命令情報を送信するリモコン装置とによって構成される表示システムとすることができる。
【００５２】
上記リモコン装置と、該リモコン装置が指示命令情報を送信する表示処理装置とによって構成される表示システムとすることができる。
【００５３】
なお、上記表示処理装置およびリモコン装置は、コンピュータによって実現してもよく、この場合には、コンピュータを上記各手段として動作させることにより上記表示処理装置およびリモコン装置をコンピュータにて実現させる表示処理装置およびリモコン装置の制御プログラム、およびそれを記録したコンピュータ読み取り可能な記録媒体も、本発明の範疇に入る。
【発明の効果】
【００５４】
以上のように、本発明に係る表示処理装置は、ユーザによって選択候補とされた番組の、番組に関連する情報である番組情報を取得する番組情報取得手段と、上記番組情報取得手段が取得した番組情報を記憶する番組情報記憶部と、上記番組情報記憶部に記憶された番組情報から、ユーザによって選択候補とされた番組の中からユーザが番組を選択する画面である番組選択画面を作成する選択画面作成手段と、上記選択画面作成手段が作成した番組選択画面を表示部または他の表示装置に表示させる表示制御手段とを備える構成である。
【００５５】
また、本発明に係る表示処理装置の制御方法は、ユーザによって選択候補とされた番組の、番組に関連する情報である番組情報を記憶する番組情報記憶部を備える表示処理装置の制御方法であって、番組情報を取得する番組情報取得ステップと、上記番組情報記憶部に記憶された番組情報から、ユーザによって選択候補とされた番組の中からユーザが番組を選択する画面である番組選択画面を作成する選択画面作成ステップと、上記選択画面作成ステップで作成した番組選択画面を表示部または他の表示装置に表示させる選択画面表示ステップとを含む方法である。
【００５６】
これにより、ユーザは、自分が選択候補とした番組の番組情報から作成された番組選択画面を確認でき、番組選択画面から番組を選択することができる。よって、ユーザは番組選択画面から容易に番組を確認でき、選択することができる。
【００５７】
また、本発明に係るリモコン装置は、上記表示処理装置に対し、番組情報を取得し、上記番組情報記憶部に記憶させる取得記憶指示手段と、番組選択画面を作成および表示させる選択画面作成表示指示手段と、上記選択画面作成表示指示手段により作成および表示させた番組選択画面から選択した画面を表示させる選択番組表示指示手段とを備える構成である。
【００５８】
これにより、表示処理装置に対し、リモコン装置から番組情報の取得、記憶および番組選択画面の作成、表示の指示を送信することができる。そして、リモコン装置から表示処理装置に対して、番組選択画面から選択された番組を表示させる指示を送信することができる。
【発明を実施するための最良の形態】
【００５９】
〔実施の形態１〕
本発明の一実施の形態について図１から図７に基づいて説明すれば、以下のとおりである。
【００６０】
図1は、本実施の形態にかかる表示処理装置１のブロック図である。図1に示すように、表示処理装置１は、制御部１０、番組情報記憶部１１、表示部１２、およびプログラムメモリ１３とで構成されている。そして、制御部１０は、ＣＰＵ（Central Processing Unit）１０１、番組データ受信部１０２、番組情報取得部（番組情報取得手段）１０３、表示制御部（表示制御手段）１０４、指示命令情報受信部（指示命令情報受信手段）１０５、選択画面作成部（選択画面作成手段）１０６、および選局部１０７とで構成されている。なお、本実施の形態では、表示処理装置１に表示部１２を設けているが、表示部１２の代わりに外部の表示装置を表示処理装置１に接続することも可能である。
【００６１】
そして、図２は表示処理装置１に対して指示命令情報を送信するリモコン装置２００の概略構成を示す図である。図２に示すようにリモコン装置２００は、ブックマークボタン（取得記憶指示手段）２０１、番組選択画面ボタン（選択画面作成表示指示手段）２０２、数字入力ボタン２０３、上下左右移動ボタン２０４、決定ボタン（選択番組表示指示手段）２０５、チャンネルアップダウンボタン２０６、および、その他として各種処理ボタンを備えている。
【００６２】
ブックマークボタン２０１は、表示処理装置１に対して、表示部１２で表示中の番組の番組情報を取得するよう指示を行う際に押下するボタンである。
【００６３】
ここで、「ブックマークする」とは、表示部１２で表示中の番組の番組情報を取得するよう、表示処理装置１に対して指示する処理のことをいう。また、「ブックマークされた」とは、表示処理装置１が、表示中の番組の番組情報を取得するよう指示を受けたことを示すことをいう。
【００６４】
ブックマークボタン２０１を押下されると、リモコン装置２００は、表示処理装置１に対して番組情報取得記憶指示命令情報を送信する。
【００６５】
番組選択画面ボタン２０２は、表示処理装置１に対して、番組選択画面を表示させるように指示を行うときに押下するボタンである。番組選択画面ボタン２０２を押下されると、リモコン装置２００は、表示処理装置１に対して選択画面作成表示指示命令情報を送信する。
【００６６】
数字入力ボタン２０３は、表示処理装置１に対して、チャンネル番号などを指示するボタンである。数字入力ボタン２０３を押下されると、リモコン装置２００は表示処理装置１に対して表示指示命令情報を送信する。
【００６７】
上下左右移動ボタン２０４は、表示処理装置１の表示部１２に表示された各種設定メニュー画面（図示せず）等を操作するためのボタンである。
【００６８】
決定ボタン２０５は、上記上下左右移動ボタン２０４等で選択した各種設定メニューを決定するためのボタンである。番組選択画面が表示部１２に表示された状態で、決定ボタン２０５を押下されると、リモコン装置２００は表示処理装置１に対して選択番組表示指示命令情報を送信する。
【００６９】
チャンネルアップダウンボタン２０６は、表示処理装置１に対して、チャンネルをアップおよびダウンさせる指示を行うボタンである。チャンネルアップダウンボタン２０６を押下されると、リモコン装置２００は、表示処理装置１に対して表示指示命令情報を送信する。
【００７０】
上記各指示命令情報の詳細については後述する。次に、表示処理装置１の各ブロックについて説明する。
【００７１】
ＣＰＵ１０１は、表示処理装置１の入出力や各命令の実行等の処理を行う。また、プログラムメモリ１３は、ＣＰＵ１０１が各処理を行うときの処理方法を含むプログラムが格納されているメモリである。プログラムメモリ１３の具体例としては、読み出し専用のメモリであるＲＯＭ（Read Only Memory）が挙げられる。そして、ＣＰＵ１０１とプログラムメモリ１３および制御部１０内の各部はシステムバスを介して相互に接続されている。
【００７２】
番組データ受信部１０２は、自装置の外部から番組データを受信する。そして、受信した番組データを、選局部１０７へ送信する。ここで、外部から受信した番組データとは、アンテナを介して受信した地上波デジタル放送データや、ネットワークを介して受信したＩＰ放送データである。
【００７３】
選局部１０７は、番組データ受信部１０２から受信した番組データから所望の番組を選局する。そして、選局した番組データを表示制御部１０４へ送信する。ここで、所望の番組とは、ユーザからリモコン装置等でチャンネル番号によって指示された番組である。また、選局の処理とは、地上波デジタル放送の場合、所望のチャンネルへチューニングし、そのチャンネルの番組データを取得する処理であり、ＩＰ放送の場合、所望のＩＰアドレスを宛先ＩＰアドレスとする番組データを取得する処理である。
【００７４】
表示制御部１０４は、選局部１０７から受信した番組データをデコードし、デコードしたデータを表示部１２へ送信する。また、選択画面作成部１０６から受信した番組選択画面データを表示部１２へ送信する。
【００７５】
指示命令情報受信部１０５は、外部からの指示命令情報を受信し、各部へ通知する。ここで、外部からの指示命令情報とは、ユーザからリモコン装置等によって、本実施の形態に記載の処理命令として指示される命令を示す情報である。指示命令情報としては、表示指示命令情報、番組情報取得記憶指示命令情報、選択画面作成表示指示命令情報、選択番組表示指示命令情報等がある。
【００７６】
表示指示命令情報とは、表示処理装置１の表示部１２に番組を表示させる指示命令を示す情報である。番組情報取得記憶指示命令情報とは、表示処理装置１に表示部１２で表示されている番組の番組情報を取得させ、番組情報記憶部１１に記憶させる指示命令を示す情報である。選択画面作成表示指示命令情報とは、表示処理装置１に番組選択画面を作成させ、表示部１２に表示させる指示命令を示す情報である。選択番組表示指示命令情報とは、番組選択画面から選択された番組を表示部１２に表示させる指示命令を示す情報である。
【００７７】
番組情報取得部１０３は、指示命令情報受信部１０５が受信した指示命令情報により、選局部１０７が選局した番組の番組情報を取得する。番組情報取得部１０３は、選局部１０７へアクセスし、番組の番組情報を取得する。また、番組情報の取得は、表示制御部１０４へアクセスすることによって行ってもよい。そして、取得した番組情報を番組情報記憶部１１へ記憶させる。なお、番組情報の取得は、番組情報が蓄積されたサーバにネットワークを介してアクセスし、取得するという構成であってもよい。
【００７８】
ここで、番組情報について説明する。番組情報とは、受信した番組の特徴を示す番組に関連する情報である。例えば、番組のチャンネル番号、番組の静止画像、番組の動画像、番組のジャンル、番組の主演俳優名、番組の配信形態（例えば、衛星デジタル放送、地上波デジタル放送、ＩＰ放送、ビデオオンデマンドなど）、および、これらの情報の取得時刻が挙げられる。
【００７９】
番組情報記憶部１１は、番組情報取得部１０３で取得した番組情報を番組ごとに記憶する。番組情報記憶部１１に記憶されている番組情報例を図３に示す。
【００８０】
図３は、番組情報記憶部１１内に記憶する番組情報を示した番組情報記憶テーブルの図である。図３に示した例では、初めに記憶した番組情報は、チャンネル番号が「１０１」、静止画が「１０１shot.jpg」というJPEG（Joint Photographic Experts Group）画像ファイル、ジャンルが「バラエティ」、主演俳優名が「○○○○」、配信形態が「地上波デジタル」、番組情報の取得時刻が「１２：２３：４５（１２時２３分４５秒）」であることを示している。以下同様に合計４つの番組についての番組情報を記憶している。
【００８１】
なお、番組情報記憶部１１は、番組情報が記憶できる容量を超える場合、最初に記憶した番組情報から削除し、空き容量を確保して新規の番組情報を記憶するようにしてもよい。
【００８２】
選択画面作成部１０６は、指示命令情報受信部１０５が受信した指示命令情報により、番組情報記憶部１１に記憶されている番組情報を基にして、番組選択画面を作成する。具体的には、選択画面作成部１０６は、指示命令情報受信部１０５から選択画面作成表示指示命令情報を受信したという通知を受けると、番組情報記憶部１１に記憶されている番組情報を参照して番組選択画面を作成する。そして、作成した番組選択画面を示す番組選択画面データを表示制御部１０４へ送信する。
【００８３】
番組選択画面の例を図４に示す。図４に示すように番組選択画面は、表示部１２に、複数の番組についての番組情報をマトリックス状に配置し表示した番組選択用の画面である。ここでは、ブックマークされた番組の番組情報が視覚的にユーザに訴求するように表示されている。ユーザは図４の番組選択画面を見て、リモコン装置２００等を介して希望の番組を選択することができる。
【００８４】
なお、番組選択画面は、番組情報をマトリックス状に配置した画面に限らず、ユーザにとって番組情報が視覚的に分かりやすいものであれば他の表示方法でもよい。例えば、番組情報が円に沿うように配置されており、それらを斜め上から俯瞰しているような立体的な表示画面でもよい。
【００８５】
ここで、番組情報として番組のチャンネル番号が含まれている場合、番組選択画面にチャンネル番号を表示してもよい。
【００８６】
また、番組情報として番組の静止画像が含まれている場合は、番組選択画面に静止画像を表示してもよい。
【００８７】
また、番組情報として番組の動画像が含まれている場合、番組選択画面に動画像を表示してもよい。ここで、動画像は有限の長さであるので、番組選択画面を表示中は該動画像を繰り返し表示することが好ましい。
【００８８】
また、番組情報として番組のジャンルが含まれている場合、番組選択画面にジャンルを表示してもよい。さらに、複数の番組についての番組情報を同じジャンルでまとめて、同じジャンルの番組情報を含む番組情報だけを表示してもよい。
【００８９】
また、番組情報として番組の主演俳優名が含まれている場合、番組選択画面に主演俳優名を表示してもよい。さらに、複数の番組についての番組情報を同じ主演俳優名でまとめて、同じ主演俳優名を含む番組情報だけを表示してもよい。
【００９０】
また、番組情報として番組の配信形態が含まれている場合は、番組選択画面に番組の配信形態を表示してもよい。さらに、複数の番組についての番組情報を同じ番組の配信形態でまとめて、同じ番組の配信形態を含む番組情報だけを表示してもよい。
【００９１】
また、番組情報として上記の各種情報の取得時刻が含まれている場合、上記各種の表示とあわせて、取得時刻を表示してもよい。あるいは、取得時刻と現時刻から何分前（何秒前、何時間前）に取得したかを計算し、それを表示してもよい。
【００９２】
また、番組情報として番組のチャンネル番号と番組の配信形態とが含まれている場合、この２つの情報を利用して選局部１０７によりチューニングし、表示制御部１０４によってデコードした番組を番組選択画面に合わせこむ形で表示してもよい。
【００９３】
このような表示とすることで、ユーザは、ブックマークした番組を視覚的に確認でき、かつ、他の番組と並べた状態で比較できるため、容易に気に入った番組を選択できる。
【００９４】
表示部１２は、表示制御部１０４より受信したデータに基づいて選局部１０７で選局された番組や選択画面作成部１０６で作成された番組選択画面を表示する。この表示部１２としては、情報の表示が可能な表示装置であればどのような装置によって実現されてもよいが、具体的な例としては、液晶表示装置が挙げられる。
【００９５】
次に、表示処理装置１の処理の流れについて図５から図７を用いて説明する。図５は、本実施の形態における処理の順序を示すシーケンス図である。本実施の形態では、ユーザがリモコン装置２００を用いて表示処理装置１を操作することを想定している。そして、リモコン装置２００におけるユーザの動作、リモコン装置２００と表示処理装置１との間で送受信される指示命令情報、および、表示処理装置１での処理を示している。
【００９６】
図６は、表示処理装置１における、番組情報の取得および番組情報の記憶の処理の流れを示すフローチャートである。図７は、表示処理装置１における、番組選択画面の作成および番組選択画面の表示の処理の流れを示すフローチャートである。
【００９７】
以下、ユーザがリモコン装置２００を用いてザッピング操作を行い、興味のある番組に対してはブックマーク処理を行い、後で番組選択画面番組を表示させて、一番気に入った番組を選択し、視聴する流れについて、図５から図７を用いて説明する。
【００９８】
なお、以下に説明する処理では、既に表示処理装置１は、各配信形態の放送を受信できる状態になっているものとする。
【００９９】
図５に示すように、まず、ユーザは興味のある番組を探すため、リモコン装置２００を用いて表示処理装置１を操作し、ザッピング操作によりいろいろな番組を表示させる。この場合、ユーザがリモコン装置２００の数字入力ボタン２０３、または、チャンネルアップダウンボタン２０６を押下（５００）することでザッピング操作を行う。そして上記操作により、リモコン装置２００は、表示処理装置１に対して表示指示命令情報を送信し、該指示命令情報を受信した表示処理装置１は、指示された番組を表示する（５０４）。この処理は従来技術と同様の方法で行う。
【０１００】
ユーザは気に入った番組、あるいは、後でまたチェックしたい番組だと感じた場合、リモコン装置２００のブックマークボタン２０１を押下（５０１）する。これにより、リモコン装置２００は、表示処理装置１に対して番組情報取得記憶指示命令情報を送信する。そして、該指示命令情報を指示命令情報受信部１０５で受信した表示処理装置１は、番組情報を取得し、番組情報記憶部１１に記憶する（５０５）。これは、番組情報取得部１０３が選局部１０７にアクセスすることにより行う。または、表示制御部１０４にアクセスすることによって行う。ここで、番組情報記憶部１１に記憶されている番組情報の記憶テーブルを図３に示す。
【０１０１】
ここで、番組情報の取得は内容に応じて以下のように行う。番組情報が番組のチャンネル番号を含む場合は、選局部１０７がチューニングしているチャンネルの番号を取得する。番組情報が番組の静止画像を含む場合は、表示制御部１０４が表示部１２に表示させている番組の静止画像をＪＰＥＧ画像として取得する。番組情報が番組の動画像を含む場合は、表示制御部１０４が表示部１２に表示させている番組をある所定の時間のＭＰＥＧ（Moving Picture Experts Group）動画像として取得する。番組情報が番組のジャンルおよび主演俳優名を含む場合は、該内容が受信番組データに含まれていれば、選局部１０７から取得する。受信番組データに含まれていなければ、ネットワークに接続し、ネットワーク上のサーバ等から取得する構成であってもよい。番組情報が配信形態を含む場合は、番組データ受信部１０２が受信している番組の配信形態を取得する。番組情報が上記番組情報の取得時刻を含む場合は、番組情報取得部１０３によって上記番組情報を取得した時刻を、番組情報の取得時刻とする。
【０１０２】
そして、ユーザは、上記５００、５０１の作業を繰り返して行う。その後、ユーザが番組選択画面ボタン２０２を押下すると（５０２）、リモコン装置２００は、表示処理装置１に対して選択画面作成表示指示命令情報を送信する。そして、該指示命令情報を指示命令情報受信部１０５で受信した表示処理装置１は、図４に示すような番組選択画面を作成し、表示部１２に表示させる（５０６）。これは、選択画面作成部１０６が番組情報記憶部１１にアクセスして、番組情報記憶テーブルから番組情報を取得し、取得した番組情報から番組選択画面を作成することによって行う。
【０１０３】
なお、ブックマークボタン２０１を押下したときに、表示部１２で表示中の番組の番組情報を取得するように指示する上述の命令に加えて、次のチャンネル番号を選局するように指示する命令をあわせて行ってもよい。ここで、次のチャンネル番号とは、ユーザの選局動作によって決定することが好ましい。例えば、ユーザがチャンネル番号を昇順（アップ）に選択していた場合は、昇順に並べたときに次に来るチャンネル番号を次のチャンネル番号とし、ユーザがチャンネル番号を降順（ダウン）に選択していた場合は、降順に並べたときに次に来るチャンネル番号を、次のチャンネル番号とすることが好ましい。
【０１０４】
次に、ユーザは番組選択画面に表示された番組情報を見比べながら、または、その番組情報から番組の内容を思い出して比較しながら、その中で最も気に入った番組を選択する。これは、ユーザは気に入った番組をリモコン装置２００の上下左右移動ボタン２０４で選択し、決定ボタン２０５を押下（５０３）することで行う。決定ボタン２０５を押下されたリモコン装置２００は、表示処理装置１に対して選択番組表示指示命令情報を送信し、該指示命令情報を受信した表示処理装置１は、指示された番組を表示する（５０７）。この処理は従来技術と同様の方法で行う。
【０１０５】
次に、表示処理装置１における番組情報の取得および番組情報の記憶の処理の流れを図６を用いて説明する。図６に示すように、まず、指示命令情報受信部１０５が番組情報取得記憶指示命令情報を受信すると（Ｓ６０１でＹＥＳ）、番組情報取得部１０３は番組情報を取得する（Ｓ６０２）。そして、番組情報取得部１０３は取得した番組情報を番組情報記憶部１１に記憶する（Ｓ６０３）。その後、処理はスタートに戻る。
【０１０６】
次に、表示処理装置１における番組選択画面の作成および番組選択画面の表示の処理の流れについて図７を用いて説明する。図７に示すように、まず、指示命令情報受信部１０５が選択画面作成表示指示命令情報を受信すると（Ｓ７０１でＹＥＳ）、選択画面作成部１０６は番組情報記憶部１１に記憶されている番組情報記憶テーブルから番組情報を取得する（Ｓ７０２）。そして、選択画面作成部１０６は取得した番組情報から番組選択画面を作成し（Ｓ７０３）、表示制御部１０４に送信する。そして、表示制御部１０４は表示部１２に番組選択画面を表示させる（Ｓ７０４）。その後、処理はスタートに戻る。
【０１０７】
なお、番組情報消去部（番組情報消去手段）を設け、該番組情報消去部が、番組選択画面から番組が選択された後、所定の時間が経過すると番組情報記憶部１１に記憶されている番組情報を消去するものであってもよい。
【０１０８】
これは、次のようにして行う。番組情報消去部は、指示命令情報受信部１０５が選択番組表示指示命令情報を受信してから、所定の時間が経過したと判断すると、番組情報記憶部１１に記憶している番組情報を消去する。ここで、所定の時間とは、番組が選択されてからユーザが再びザッピング操作を行うことがないと考えられる時間である。また、ユーザが再びザッピング操作を始めたことを検知して、そのときに番組情報を消去するものであってもよい。
【０１０９】
また、選局部１０７でチューニングする番組が一周したときに、選択画面作成部１０６が、番組選択画面を作成するものであってもよい。ここで、番組が一周したときとは、ユーザが行うザッピング操作により、最初のチャンネルに戻ったときである。また、選局終了判定部（選局終了判定手段）を設け、該選局終了判定部が、ザッピング操作により番組が一周したと判定したときに、選択画面作成部１０６が番組選択画面を作成するものであってもよい。
【０１１０】
また、選択画面作成部１０６は、取得した番組情報数がある閾値を超えたときに、番組選択画面を作成するものであってもよい。また、選局部１０７でチューニングする番組の配信形態が変化したときに、番組選択画面を作成するものであってもよい。また、番組選択画面を複数のページに分割して作成し、そのうちの１ページだけのデータを表示制御部１０４は表示部１２に表示させ、他のページデータは選択指示データを受信したときに表示部１２に表示させるようにしてもよい。また、ジャンルごと、主演俳優名ごとに同じページにまとめて、ページを分割して作成するものであってもよい。
【０１１１】
また、選択画面作成部１０６は、番組選択画面に表示すべき番組情報が多くあり、番組選択画面１ページに収まりきらない場合、１ページに収まるだけの番組情報を含んだ番組選択画面を最初に作成し、ユーザから不要な番組情報を選択させることで、その番組情報を番組選択画面から削除し、空いたスペースに順次表示できていない番組情報を表示する番組選択画面を作成するようにしてもよい。
【０１１２】
また、ユーザがザッピング操作を行い、気に入った番組をブックマークするため図５の５００と５０１の行為を繰り返している間、あとどのくらいで最初の番組に戻るかという情報を表示処理装置１で表示してもよい。表示する情報としては、例えば、残りの選局可能な番組数、現在までのブックマーク数、現在までの選局番組数などがある。またこれらの情報を加工し、％表示、バー表示するものであってもよい。またこれらの情報をリモコン装置２００等の他の装置に表示させるものでもよい。
【０１１３】
また、番組選択画面の表示は、自装置に限らず、リモコン装置２００や他の装置に表示させるようにしてもよい。
【０１１４】
また、本発明の特徴は、ユーザにリモコン装置等で指示されたとき、表示中の番組の番組情報を取得、記憶し、取得した番組情報から番組選択画面を作成、表示し、リモコンの上下左右移動ボタン等で番組選択画面からユーザに番組を選択させ、選択された番組を表示することにある。これらの特徴により、ユーザは視覚的な番組選択画面を見ながら、ユーザの気に入った番組（あるいは気に入っていたこと思い出した番組）を、後から再度見つけ出すことを容易に行うことができる。これにより、従来技術のように再度ザッピングする必要はない。また、ザッピング時に気に入った番組を選択するのではなく、後から番組選択画面で示される番組情報を見比べながら、また、その番組情報から番組の内容を思い出して比較しながら、その中で最も気に入った番組をゆっくりと選択することが可能になる。
【０１１５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１６】
最後に、表示処理装置１の各ブロック、特に番組データ受信部１０２、番組情報取得部１０３、表示制御部１０４、指示命令情報受信部１０５、選択画面作成部１０６、および選局部１０７は、ハードウェアロジックによって構成してもよいし、次のようにＣＰＵを用いてソフトウェアによって実現してもよい。
【０１１７】
すなわち、表示処理装置１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示処理装置１の制御プログラムのプログラムコード（実行形式プログラム、中間コードプログラム、ソースプログラム）をコンピュータで読み取り可能に記録した記録媒体を、上記表示処理装置１に供給し、そのコンピュータ（またはＣＰＵやＭＰＵ）が記録媒体に記録されているプログラムコードを読み出し実行することによっても、達成可能である。
【０１１８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１９】
また、表示処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２０】
ユーザが気に入った複数のチャンネルの番組を容易に確認し、選択できるので、複数のチャンネルを受信している表示処理装置、特に、多チャンネルに対応した表示処理装置に適用できる。
【図面の簡単な説明】
【０１２１】
【図１】本発明の実施の形態を示すものであり、表示処理装置の要部構成を示すブロック図である。
【図２】上記実施の形態を示すものであり、上記表示処理装置に対応するリモコン装置を示す図である。
【図３】上記実施の形態における、番組情報記憶部に記憶されている番組情報記憶テーブルを示す図である。
【図４】上記実施の形態における番組選択画面を示す図である。
【図５】上記実施の形態におけるザッピングから選択された番組を表示するまでの流れを示すシーケンス図である。
【図６】上記実施の形態における番組情報取得記憶指示命令情報を受信してから番組情報を記憶するまでの流れを示すフローチャートである。
【図７】上記実施の形態における選択画面作成表示指示命令情報を受信してから番組選択画面を表示するまでの流れを示すフローチャートである。
【符号の説明】
【０１２２】
１    表示処理装置
１０    制御部
１１    番組情報記憶部
１２    表示部
１３    プログラムメモリ
１０１    ＣＰＵ（Central Processing Unit）
１０２    番組データ受信部
１０３    番組情報取得部（番組情報取得手段）
１０４    表示制御部（表示制御手段）
１０５    指示命令情報受信部（指示命令情報受信手段）
１０６    選択画面作成部（選択画面作成手段）
１０７    選局部
２００    リモコン装置
２０１    ブックマークボタン（取得記憶指示手段）
２０２    番組選択画面ボタン（選択画面作成表示指示手段）
２０５    決定ボタン（選択番組表示指示手段）
【図１】
2008288731.tif 000003
【図２】
2008288731.tif 000004
【図３】
2008288731.tif 000005
【図４】
2008288731.tif 000006
【図５】
2008288731.tif 000007
【図６】
2008288731.tif 000008
【図７】
2008288731.tif 000009